(57)【要約】【課題】テレビを用いたセキュリティシステムにおいて、異常検知時にユーザがチャンネル操作を行うと、緊急に映し出された監視映像信号から他のチャンネルに切り替わり、異常状態を見逃す。【解決手段】被監視部を監視する監視カメラと、前記監視カメラから出力される監視映像信号を伝送する第１の映像伝送手段と、監視映像信号から異常状態を自動的に検知する検知手段と、前記検知手段から出力される監視映像信号を伝送する第２の映像伝送手段と、第２の映像伝送手段で伝送された監視映像信号を映し出すテレビと、検知手段からテレビを制御できる通信手段を設けたセキュリティシステムにおいて、前記検知手段で異常状態を検知した際に、通信手段を通して強制的にテレビに監視カメラの監視映像信号を映し出す制御信号を送出すると同時に、その後数時間ユーザのテレビ操作を受け付けなくする制御信号を送出する。【選択図】図１
2009003735.tif 000002
【特許請求の範囲】
【請求項１】
被監視部を監視する監視カメラと、前記監視カメラから出力される監視映像信号を伝送する第１の映像伝送手段と前記伝送手段で伝送された監視映像信号から異常状態を自動的に検知する検知手段と、前記検知手段から出力される監視映像信号を伝送する第２の映像伝送手段と、前記第２の映像伝送手段で伝送された監視映像信号を映し出すテレビと前記検知手段から前記テレビを制御できる通信手段を設けたセキュリティシステムにおいて、前記検知手段で異常状態を検知した際に、前記通信手段を通して強制的にテレビに前記監視カメラの監視映像信号を映し出す制御信号を送出すると同時に、その後数時間ユーザのテレビ操作を受け付けなくする制御信号を送出することを特徴とするセキュリティシステム。
【請求項２】
前記通信手段を通して前記通信手段を通して強制的にテレビに前記監視カメラの監視映像信号を映し出し、ユーザのテレビ操作を受け付けなくする際、ユーザのある決まった操作によってはユーザのテレビ操作を受け付ける状態に戻ることを特徴とするセキュリティシステム。
【請求項３】
前記通信手段を通して送出される信号は、テレビ画面を多画面にし、多画面中のある画面に監視映像信号を映し出す制御を行う信号であることを特徴とするセキュリティシステム。
【請求項４】
前記通信手段を通して送出される信号は、テレビ画面を多画面にし、多画面中のある画面に監視映像信号を映し出す制御を行う信号と、ある画面だけをユーザのテレビ操作を受け付けなくする信号であることを特徴とするセキュリティシステム。
【請求項５】
前記緊急時操作ロック制御信号が送信された際に、ユーザがテレビ操作を行うと、画面上にテレビ操作を受け付けない状態であることを通知することを特徴とするセキュリティシステム。
【発明の詳細な説明】
【技術分野】
【０００１】
本発明は、テレビを報知手段として用いるようにしたセキュリティシステムに関するものである。
【背景技術】
【０００２】
従来、この種のセキュリティシステムには、報知手段として家庭のテレビジョン受像機を用いた場合、このテレビジョン受像機がテレビ番組の受信中であっても、報知すべき必要が生じた際にはその受信モードから強制的に報知モードに切り替えられて、所定の報知を行うというシステムがあるが、報知モードに切り替わった際、ユーザが不意によるチャンネル操作を行うと、報知モードから別のチャンネルに切り替わってしまい、異常状態を見逃してしまうという課題があった。
【特許文献１】特開平２−２０７４００号公報
【発明の開示】
【発明が解決しようとする課題】
【０００３】
前記のように、従来この種のセキュリティシステムには、報知手段として家庭のテレビジョン受像機を用いた場合、このテレビジョン受像機がテレビ番組の受信中であっても、報知すべき必要が生じた際にはその受信モードから強制的に報知モードに切り替えられて、所定の報知を行うというシステムがあるが、報知モードに切り替わった際、ユーザが不意によるチャンネル操作を行うと、報知モードから別のチャンネルに切り替わってしまい、異常状態を見逃してしまうという課題があった。本発明の目的は、上述の課題を解決せんとするものである。
【課題を解決するための手段】
【０００４】
この課題を解決するために、本願第１の発明では、被監視部を監視する監視カメラと、前記監視カメラから出力される監視映像信号を伝送する映像伝送手段１と前期伝送手段で伝送された監視映像信号から異常状態を自動的に検知する検知手段と、前記検知手段から出力される監視映像信号を伝送する映像伝送手段２と、前記映像伝送手段２で伝送された監視映像信号を映し出すテレビと前記検知手段から前記テレビを制御できる通信手段を備え、前記検知手段で異常状態を検知した際に、前記通信手段を通して強制的にテレビに前記監視カメラの監視映像信号を映し出す制御信号（強制監視映像切り替え制御信号と呼ぶ）を送出すると同時に、その後数時間ユーザのテレビ操作を受け付けなくする制御信号（緊急時操作ロック制御信号と呼ぶ）を送出するようにしたものである。
【発明の効果】
【０００５】
本願第１の発明によれば、異常状態を検知して報知モードに切り替わった際に、ユーザの不意によるテレビ操作によってチャンネルが切り替わり、異常事態を見逃すことがなくなる。
【発明を実施するための最良の形態】
【０００６】
以下本発明の実施の形態について、図を使用して詳細に説明する。
【０００７】
図１に本願第１の発明におけるセキュリティシステムの一例を示す。本願第１の発明では、異常検知装置１０２において、第１の映像伝送手段１０５を通して入力される防犯カメラ１０１からの映像信号から、画像処理による異常の判定を行う。異常があれば、通信手段１０４を通してテレビ１０３に対して、電源をＯＮし（テレビの電源がＯＦＦの場合）、防犯カメラの映像を、第２の映像伝送手段１０６を通して画面に出力させる制御信号（強制監視映像切り替え制御信号）を送信する。それと同時に、一定時間ユーザのテレビ操作を受け付けない制御信号（緊急時操作ロック制御信号）を送信する。
【０００８】
また、前記緊急時操作ロック制御信号を送信した後、ユーザがある定められた一定の操作を行うと、緊急時操作ロック状態を解除し、再びテレビを受け付ける状態に戻してもよい。
【０００９】
また、前記通信手段を通して送出される信号は、テレビ画面を多画面にし、多画面中のある画面に監視カメラからの監視映像信号を映し出す制御を行う信号であってもよい。また、この場合、同時にある画面だけをユーザのテレビ操作を受け付けなくする制御信号を送信してもよい。
【００１０】
また、前記緊急時操作ロック制御信号が送信された際に、ユーザがテレビ操作を行うと、画面上にテレビ操作を受け付けない状態であることをＯＳＤ表示させてもよい。
【００１１】
以上述べた本発明はここに記載した実施の形態に限定されることなく、発明の要旨内で各種の変形、変更の可能なことは自明である。
【産業上の利用可能性】
【００１２】
本発明に係るセキュリティシステムは、報知モードに切り替わり、ユーザが不意によるチャンネル操作を行っても、その操作を受け付けず、異常状態を見逃さない。これにより、異常事態に通知を確実に行わせることを必要とするホームセキュリティシステムに有用である。
【図面の簡単な説明】
【００１３】
【図１】本発明のセキュリティシステムの構成を示すブロック図
【符号の説明】
【００１４】
１０１    防犯カメラ
１０２    異常検知装置
１０３    テレビ
１０４    通信手段
１０５    第１の映像伝達手段
１０６    第２の映像伝達手段
【図１】
2009003735.tif 000003